【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
外部水晶と結合されるように構成された統合発振器であって、前記統合発振器は、
その発振周波数を制御する前記外部水晶との接続のために構成された第１および第２の接続を有する、発振器と、
第１および第２のモードで動作するように構成された制御回路であって、前記発振器の始動時、前記制御回路は、前記第１のモードで動作し、第１の電力消費において動作するように前記発振器を構成し、前記制御回路は、前記発振器が発振するある時間周期の後、前記第２のモードに切り替わり、前記第２のモードにあるとき、前記制御回路は、前記第１の電力消費未満である第２の電力消費において動作するように前記発振器を構成する、制御回路と、
前記発振器からの出力信号の立ち上がりおよび／または立ち下がりエッジにおいてパルスを前記発振器の前記第１および／または第２の接続の中に注入することによって、動作中、前記第２の電力消費において発振を持続するように構成されている、パルス発生器ユニットと
を備える、統合発振器。
【請求項２】
前記発振器からの前記出力信号のサイクルの数をカウントすることによって前記ある時間周期を判定するためのカウンタをさらに備える、請求項１に記載の統合発振器。
【請求項３】
前記パルス発生器は、前記カウンタによってイネーブルにされ、前記出力信号のサイクル毎に少なくとも１つのパルスを発生させる、請求項２に記載の統合発振器。
【請求項４】
前記パルス発生器は、約５ナノ秒〜約５００ナノ秒のパルス幅を有する前記パルスを発生させる、請求項３に記載の統合発振器。
【請求項５】
前記パルス発生器は、約１００ナノ秒のパルス幅を有する前記パルスを発生させる、請求項４に記載の統合発振器。
【請求項６】
前記パルス発生器は、約５ナノ秒のパルス幅を有する前記パルスを発生させる、請求項４に記載の統合発振器。
【請求項７】
前記第２の電力消費は、前記第１の電力消費未満であり、前記発振器は、前記パルスを注入せずに前記第２の電力消費においてその発振を持続することができない、請求項１に記載の統合発振器。
【請求項８】
前記第２の電力消費は、前記第１の電力消費の約１０パーセントである、請求項７に記載の統合発振器。
【請求項９】
前記発振器は、インバータを備える、請求項１に記載の統合発振器。
【請求項１０】
前記発振器は、トランスコンダクタを備える、請求項１に記載の統合発振器。
【請求項１１】
前記発振器は、
供給電圧に結合された電流源と、
バイアス電圧に結合された第１のレジスタと、
前記第１のレジスタに結合された第１のコンデンサと、
前記第１のコンデンサに結合された第２のレジスタと、
前記電流源と、前記第１のコンデンサと、前記第１および第２のレジスタとに結合された第１のトランジスタと、
前記第１のコンデンサおよび前記第２のレジスタに結合された第２のコンデンサと、
前記第２のレジスタおよび前記第１のトランジスタに結合された第３のコンデンサと、
前記第１、第２および第３のコンデンサと、前記第２のレジスタと、前記第１のトランジスタとに結合された第２のトランジスタと、
前記第１および第２のトランジスタと、前記第１、第２、および第３のコンデンサと、前記第２のレジスタとに結合された前記外部水晶と
を備える、請求項１に記載の統合発振器。
【請求項１２】
前記第１の電力消費は、約５００ナノアンペア〜約１マイクロアンペアの電流を備える、請求項１に記載の統合発振器。
【請求項１３】
前記第２の電力消費は、約２５ナノアンペア〜約１００ナノアンペアの電流を備える、請求項１に記載の統合発振器。
【請求項１４】
前記パルス発生器ユニットは、前記発振器出力の立ち上がりエッジ上に正パルスを発生させ、および／または前記発振器出力の立ち下がりエッジ上に発生された負パルスを発生させるように構成されている、請求項１に記載の統合発振器。
【請求項１５】
前記正パルスは、正バイアス電圧によって提供される振幅を有し、およひ／または前記負パルスは、正バイアス電圧によって提供される振幅を有する、請求項１４に記載の統合発振器。
【請求項１６】
前記パルスは、前記発振器からの前記出力信号の前記立ち上がりおよび／または立ち下がりエッジから約半サイクルだけ遅延される、請求項１に記載の統合発振器。
【請求項１７】
請求項１〜１６のうちの１項に記載の統合発振器を備える、マイクロコントローラ。
【請求項１８】
外部水晶と結合されるように構成された統合発振器を始動および起動させるための方法であって、前記方法は、
前記外部水晶を用いて発振器の周波数を制御するステップであって、前記水晶は、前記発振器と結合されている、ステップと、
前記発振器が第１の電力消費において動作する第１のモードで前記発振器の動作を始動させるステップと、
前記発振器が発振するある時間周期の後、第２のモードで前記発振器を動作させるステップであって、前記発振器は、第２の電力消費において動作し、前記第２の電力消費は、前記第１の電力消費未満である、ステップと、
前記第２の電力消費において前記発振器の動作を持続させるために、前記水晶と前記発振器との間の結合を通して、前記発振器からの出力信号の立ち上がりおよび／または立ち下がりエッジにおいてパルスを前記発振器の中に注入するステップであって、そうでなければ、前記発振器は、その発振を持続することができないであろう、ステップと
を含む、方法。
【請求項１９】
前記パルスを前記発振器からの前記出力信号の前記立ち上がりおよび／または立ち下がりエッジから約半サイクルだけ遅延させるステップをさらに含む、請求項１８に記載の方法。
【手続補正２】
【補正対象書類名】明細書
【補正対象項目名】００１２
【補正方法】変更
【補正の内容】
【００１２】
本方法のさらなる実施形態によると、パルスを発振器からの出力信号の立ち上がりおよび／または立ち下がりエッジから約半サイクルだけ遅延させるステップを含んでもよい。
本願明細書は、例えば、以下の項目も提供する。
（項目１）
外部水晶と結合されるように構成された統合発振器であって、前記統合発振器は、
その発振周波数を制御する、水晶に対して構成された発振器と、
第１および第２のモードで動作するように構成された制御回路であって、前記発振器の始動時、前記制御回路は、前記第１のモードで動作し、第１の電力消費で動作するように前記発振器を構成し、前記制御回路は、前記発振器が発振するある時間周期の後、前記第２のモードに切り替わる、制御回路と
を備え、
前記第２のモードにあるとき、前記制御回路は、前記第１の電力消費未満である第２の電力消費において動作するように前記発振器を構成し、
発振は、前記発振器からの出力信号の立ち上がりおよび／または立ち下がりエッジにおいてパルスを前記発振器の中に注入することによって、動作中、前記第２の電力消費において持続される、統合発振器。
（項目２）
前記発振器からの出力信号のサイクルの数をカウントすることによって前記ある時間周期を判定するためのカウンタをさらに備える、項目１に記載の統合発振器。
（項目３）
カウンタによってイネーブルにされ、前記出力信号のサイクル毎に少なくとも１つのパルスを発生させる、パルス発生器をさらに備える、項目２に記載の統合発振器。
（項目４）
前記パルス発生器は、約５ナノ秒〜約５００ナノ秒のパルス幅を有するパルスを発生させる、項目３に記載の統合発振器。
（項目５）
前記パルス発生器は、約１００ナノ秒のパルス幅を有するパルスを発生させる、項目４に記載の統合発振器。
（項目６）
前記パルス発生器は、約５ナノ秒のパルス幅を有するパルスを発生させる、項目４に記載の統合発振器。
（項目７）
前記第２の電力消費は、前記第１の電力消費未満である、前記項目のうちの１項に記載の統合発振器。
（項目８）
前記第２の電力消費は、前記第１の電力消費の約１０パーセントである、項目７に記載の統合発振器。
（項目９）
前記項目のうちの１項に記載の統合発振器を備える、マイクロコントローラ。
（項目１０）
前記発振器は、インバータを備える、前記項目のうちの１項に記載の統合発振器。
（項目１１）
前記発振器は、トランスコンダクタを備える、前記項目のうちの１項に記載の統合発振器。
（項目１２）
前記発振器は、
供給電圧に結合された電流源と、
バイアス電圧に結合された第１のレジスタと、
前記第１のレジスタに結合された第１のコンデンサと、
前記第１のコンデンサに結合された第２のレジスタと、
前記電流源と、前記第１のコンデンサと、前記第１および第２のレジスタとに結合された第１のトランジスタと、
前記第１のコンデンサおよび第２のレジスタに結合された第２のコンデンサと、
前記第２のレジスタおよび第１のトランジスタに結合された第３のコンデンサと、
前記第１、第２および第３のコンデンサと、前記第２のレジスタと、前記第１のトランジスタとに結合された第２のトランジスタと、
前記第１および第２のトランジスタと、前記第１、第２、および第３のコンデンサと、前記第２のレジスタとに結合された外部水晶と
を備える、前記項目のうちの１項に記載の統合発振器。
（項目１３）
前記第１の電力消費は、約５００ナノアンペア〜約１マイクロアンペアの電流を備える、前記項目のうちの１項に記載の統合発振器。
（項目１４）
前記第２の電力消費は、約２５ナノアンペア〜約１００ナノアンペアの電流を備える、前記項目のうちの１項に記載の統合発振器。
（項目１５）
前記パルスは、前記発振器からの出力信号の立ち上がりおよび／または立ち下がりエッジから約半サイクルだけ遅延される、前記項目のうちの１項に記載の統合発振器。
（項目１６）
外部水晶と結合されるように構成された統合発振器を始動および起動させるための方法であって、前記方法は、
水晶を用いて発振器の周波数を制御するステップと、
前記発振器が第１の電力消費において動作する第１のモードで前記発振器の動作を始動させるステップと、
前記発振器が発振するある時間周期の後、第２のモードで前記発振器を動作させるステップであって、前記発振器は、第２の電力消費において動作し、前記第２の電力消費は、前記第１の電力消費未満である、ステップと、
前記第２の電力消費における前記発振器の持続された動作のために、前記発振器からの出力信号の立ち上がりおよび／または立ち下がりエッジにおいてパルスを前記発振器の中に注入するステップと
を含む、方法。
（項目１７）
前記パルスを前記発振器からの出力信号の立ち上がりおよび／または立ち下がりエッジから約半サイクルだけ遅延させるステップをさらに含む、項目１６に記載の方法。